(57)【要約】【課題】膜電極複合体の位置合わせが容易で、組み立て性や積層作業性に優れ、作業の省力化を図ることが可能な固体高分子型燃料電池を提供する。【解決手段】膜電極複合体４を備える固体高分子型燃料電池において、燃料極２ａ側のガス拡散層３ａの外形寸法を高分子膜１の外形寸法及び酸化剤極２ｂ側のガス拡散層３ｂの外形寸法よりも大きくし、セパレータ６の外形と概略同じ形状とする。高分子膜１はセパレータ６の外形まで大きくすることなく発電に寄与する部分のみに存在するので、高分子膜１の大きさを最小限にすることができる。また、膜電極複合体４のエッジ部がガス拡散層３ａであるために、部材の端部を揃えやすく、位置合わせが容易となる。【選択図】図１
2005158325.tif 000002
【特許請求の範囲】
【請求項１】
高分子膜の両側に燃料極及び酸化剤極を配置し前記燃料極及び酸化剤極に隣接してガス拡散層をそれぞれ設けた膜電極複合体と、前記燃料極及び酸化剤極に燃料ガス及び酸化剤ガスをそれぞれ供給するためのガス流路を備えたセパレータと、前記膜電極複合体と前記セパレータの間に設けたガスケットとにより単位セルが構成され、当該単位セルが繰り返し並設された積層構造を有する固体高分子型燃料電池において、
前記膜電極複合体における前記ガス拡散層のうちの一方は、他方のガス拡散層及び高分子膜よりも外形寸法が大きいことを特徴とする固体高分子型燃料電池。
【請求項２】
前記大きい方のガス拡散層の外形寸法は、前記セパレータの外形寸法と略等しいことを特徴とする請求項１に記載の固体高分子型燃料電池。
【請求項３】
前記セパレータは燃料ガス、酸化剤ガス、冷媒のうち少なくとも何れかを固体高分子型燃料電池の積層方向に流通させるための貫通孔を有し、前記貫通孔の周縁の一部と前記大きい方のガス拡散層の外周縁の一部が積層方向において重なることを特徴とする請求項１に記載の固体高分子型燃料電池。
【請求項４】
前記大きい方のガス拡散層における高分子膜と接していない部分の対極側表面に絶縁層が設けられていることを特徴とする請求項１に記載の固体高分子型燃料電池。
【請求項５】
前記大きい方のガス拡散層の対極側のセパレータ表面には、当該対極側のガス拡散層と隣接して絶縁層が設けられていることを特徴とする請求項１に記載の固体高分子型燃料電池。
【請求項６】
前記ガスケットは、前記セパレータに一体化されていることを特徴とする請求項１に記載の固体高分子型燃料電池。
【請求項７】
前記ガスケットは、前記ガス拡散層に一体化されていることを特徴とする請求項１に記載の固体高分子型燃料電池。
【請求項８】
前記絶縁層は、前記ガスケットと一体化されていることを特徴とする請求項４又は５に記載の固体高分子型燃料電池。
【発明の詳細な説明】
【技術分野】
【０００１】
本発明は、固体高分子型燃料電池に関するものであり、特に、その組立作業性や積層作業性を改善するための技術に関する。
【背景技術】
【０００２】
固体高分子型燃料電池は、クリーンで高効率な発電装置であり、近年、世界規模での開発競争が繰り広げられている。とりわけ自動車業界においては、内燃機関の代替動力源として固体高分子型燃料電池に対する期待は大きく、様々な観点からの技術開発が盛んに行われている。
【０００３】
固体高分子型燃料電池の一般的な構成について説明すると、固体高分子型燃料電池では、高分子膜の両側に燃料極及び酸化剤極が配置され、さらに、各電極に接するようにガス拡散層がそれぞれ設けられる。これらを総合して膜電極複合体と呼ぶ。そして、膜電極複合体を挟持するように、燃料ガス流路及び酸化剤ガス流路をそれぞれ片面ずつに設けたセパレータが配置される。セパレータは、燃料ガスマニホールド及び酸化剤ガスマニホールドと呼ばれる貫通孔の内部を流れる燃料ガス及び酸化剤ガスを、それぞれ燃料ガス流路及び酸化剤ガス流路を介して燃料極及び酸化剤極に供給する機能を有する。また、セパレータは、以上のようなガス供給機能だけでなく、膜電極複合体で生じた起電力により流れる電流を、膜電極複合体と接するリブ部を介して集電する役割を担う。したがって、セパレータにおいて、少なくとも膜電極複合体と接する部分に関しては、導電性が必要となる。また、燃料ガスと酸化剤ガスは、混合されてしまうと各電極における電気化学反応が阻害されるので、互いに混合されることのないようにシールする必要がある。そのため、膜電極複合体の外周付近にある高分子膜とセパレータの間には、ガスケットが配置される。
【０００４】
これらを１つのユニットとして単位セルと呼ぶ。固体高分子型燃料電池は、通常、この単位セルを直列に複数積層してスタックとしたものを指す。また、酸化剤極における電気化学反応は発熱反応であるため、その熱を冷却するための冷却板を所定の単位セル数毎に挿入する場合もある。
【０００５】
以上のような固体高分子型燃料電池において、膜電極複合体の仕様に関しては様々であるが、通常はガス拡散層よりも高分子膜の方が大きく形成され、周囲に露呈する高分子膜部分をガスケットで挟み込むことにより密閉構造となるように構成されている。
【０００６】
しかしながら、ガス拡散層よりも高分子膜が大きく形成され、周囲に高分子膜が張り出すような構造では、厚さの薄い高分子膜を基準にして膜電極複合体の位置合わせを行わなければならず、単位セルやスタックの組み立てが困難であり、積層作業性に乏しいという問題がある。また、高分子膜の露呈部分が大きいため、高分子膜の損傷による燃料電池の不具合が頻繁に発生している。さらに、高価な高分子膜の使用量が多くなり、製造コストの増加を強いられるという問題もある。
【０００７】
さらに、例えば膜電極複合体の周囲部に樹脂を含浸し、シール機能を持たせるという仕様も提案されている（例えば、特許文献１参照。）。特許文献１に記載される仕様の膜電極複合体では、高分子膜の両側に燃料極及び酸化剤極を有し、その外側にガス拡散層が配置され、膜電極複合体が構成されることは同様であるが、ガス拡散層の周囲部に樹脂を含浸することでガス封止部を形成している。そして、膜電極複合体とセパレータが互いに接しており、膜電極複合体における前記ガス封止部と接するようにガスケットが設けられている。これにより単位セルが構成されている。
【特許文献１】特開２００１−１１８５９２号公報
【発明の開示】
【発明が解決しようとする課題】
【０００８】
しかしながら、前記特許文献１に記載される膜電極複合体の仕様では、高分子膜の使用量は少なくなるので、ある程度の製造コストの削減は図れるものの、結局は高分子膜を基準にして膜電極複合体の位置合わせを行わなければならず、単位セルやスタックの組み立てに際して位置合わせが困難であるという問題は残したままである。また、高分子膜の損傷の問題も解消することはできない。
【０００９】
本発明は、以上のような従来の実情に鑑みて提案されたものであり、例えばセパレータと膜電極複合体とを交互に積層するといった単位セルあるいはスタックの組み立てにおいて、膜電極複合体の位置合わせが容易で、組み立て性や積層作業性に優れると共に、高分子膜の損傷による燃料電池の不具合が発生することのない固体高分子型燃料電池を提供することを目的としている。
【課題を解決するための手段】
【００１０】
本発明に係る固体高分子型燃料電池は、高分子膜の両側に燃料極及び酸化極剤極を配置し、これら燃料極及び酸化剤極に隣接してガス拡散層をそれぞれ設けた膜電極複合体と、この膜電極複合体の燃料極及び酸化剤極に燃料ガス及び酸化剤ガスをそれぞれ供給するためのガス流路を備えたセパレータと、膜電極複合体とセパレータの間に設けたガスケットとにより単位セルが構成され、このような構成の単位セルが繰り返し並設された積層構造を有するものである。このような構造の固体高分子型燃料電池において、本発明では、上述した目的を達成するために、各単位セルの膜電極複合体におけるガス拡散層のうちの一方が、他方のガス拡散層及び高分子膜に比べて、その外形寸法が大きくなるようにした。
【００１１】
ガス拡散層は、高分子膜よりも厚さが厚く、温度や湿度の変化に対する機械的強度も高い。したがって、ガス拡散層の外形寸法を高分子膜の外形寸法よりも大きくし、ガス拡散層の周縁を基準に膜電極複合体の位置合わせを行うようにすれば、位置合わせが容易なものとなる。また、高分子膜が露呈することがなくなるので、高分子膜の損傷が回避される。
【発明の効果】
【００１２】
本発明によれば、膜電極複合体の位置合わせを容易なものとすることができ、組み立て性や積層作業性に優れ、作業の省力化を図ることが可能な固体高分子型燃料電池を提供できる。また、本発明によれば、高分子膜を損傷することがなく、それが原因で不具合が発生することのない信頼性の高い固体高分子型燃料電池を提供することができる。
【発明を実施するための最良の形態】
【００１３】
以下、本発明を適用した固体高分子型燃料電池の実施形態について、図面を参照して説明する。
【００１４】
（第１の実施形態）
本実施形態における固体高分子型燃料電池の断面構造を図１に示す。本実施形態の固体高分子型燃料電池は、高分子膜１の両側に触媒を有する燃料極２ａ及び酸化剤極２ｂをそれぞれ配置し、これら燃料極２ａ及び酸化剤極２ｂにそれぞれ隣接してガス拡散層３ａ、３ｂを設けた膜電極複合体４を備えている。
【００１５】
ここで、高分子膜１には、高エネルギー密度化、低コスト化、軽量化等を考慮して、例えば固体高分子電解質膜が用いられる。固体高分子電解質膜は、例えばフッ素樹脂系イオン交換膜等、イオン（プロトン）伝導性の高分子膜からなるものであり、飽和含水することによりイオン伝導性電解質として機能する。
【００１６】
この高分子膜１の両面に配設される燃料極２ａ及び酸化剤極２ｂは、白金または、白金とその他の金属からなる触媒を含有するカーボンクロス、またはカーボンペーパー等からなり、触媒の存在する面が高分子膜１と接触するように形成されている。また、ガス拡散層３ａ，３ｂは、これら燃料極２ａや酸化剤極２ｂに効率的に燃料ガス、酸化剤ガスを行き渡らせるためのもので、例えば多孔質触媒電極として形成される。
【００１７】
前記燃料極２ａでは、供給された水素が水素イオンと電子に解離し、水素イオンは電解質（高分子膜１）を通り、電子は外部回路を通って電力を発生させて、酸化剤極２ｂにそれぞれ移動する。酸化剤極２ｂでは、供給された空気中の酸素と前記水素イオン及び電子が反応して水が生成される。
【００１８】
また、前記膜電極複合体４と接して、前記燃料極２ａ及び酸化剤極２ｂに燃料ガス及び酸化剤ガスをそれぞれ供給するための燃料ガス流路５ａ、酸化剤ガス流路５ｂを有するセパレータ６が設けられている。セパレータ６は、ガスの流路としての機能を有するばかりでなく、集電体としての機能やセル間の隔壁としての機能も有し、例えばガス不透過である緻密性カーボン材で構成されている。
【００１９】
そして、膜電極複合体４とセパレータ６の間にガスケット７を設け、これらを単位セルとして繰り返し積層することにより、積層構造を有する固体高分子型燃料電池が構成されている。
【００２０】
以上の構成の固体高分子型燃料電池において、本実施形態では、各単位セルの一方のガス拡散層（ここでは、燃料極２ａ側のガス拡散層３ａ）の外形寸法を、高分子膜１の外形寸法及び酸化剤極２ｂ側のガス拡散層３ｂの外形寸法よりも大きくし、セパレータ６の外形と概略同じ形状としている。
【００２１】
セパレータ６には、燃料ガス及び酸化剤ガスを単位セルの積層方向にそれぞれ流通させるための燃料ガスマニホールド（図示せず）、及び酸化剤ガスマニホールド９ｂと呼ばれる貫通孔が存在するが、前述のように外形寸法を大きくした燃料極２ａ側のガス拡散層３ａに、前記燃料ガスマニホールド及び酸化剤ガスマニホールド９ｂに相当する貫通孔がセパレータ６と同様に設けられている。
【００２２】
また、この燃料極２ａ側のガス拡散層３ａは、高分子膜１と重なる端部付近からマニホールド部を通って周囲部までの部分が、含浸材を含む含浸部１０ａ（図中斜線部）となっている。酸化剤極２ｂ側のガス拡散層３ｂに関しては、高分子膜１と重なる端部付近のみが、同様の含浸部１０ｂとなっている。ここで、含浸材としては、熱可塑性樹脂やゴム材等が挙げられる。これら含浸部１０ａ，１０ｂを設けることで、ガス拡散層３ａ，３ｂの端部から異種のガス（ガス拡散層３ａでは酸化剤ガス。ガス拡散層３ｂでは燃料ガス。）が侵入するのを防止することができる。
【００２３】
燃料極２ａ側のガス拡散層３ａの含浸部１０ａは、燃料極２ａ側のセパレータ６の表面に接しており、対極である酸化剤極２ｂ側のセパレータ６とはガスケット７並びに空気層１１を介して対向している。なお、本実施形態では、ガスケット７は、セパレータ６やガス拡散層３ａ，３ｂとは別体として構成されている。
【００２４】
本実施形態の固体高分子型燃料電池では、高分子膜１はセパレータ６の外形まで大きくすることなく発電に寄与する部分のみに存在するので、高分子膜１の大きさを最小限にすることができる。したがって、製造コストの削減が可能である。また、高分子膜１は、両面がガス拡散層３ａ，３ｂで覆われ露呈する部分がないので、損傷による性能劣化を回避することができる。
【００２５】
さらに、本実施形態では、燃料極２ａ側のガス拡散層３ａの外形をセパレータ６の外形と概略同じ形状としたので、ガス拡散層３ａを含む膜電極複合体４とセパレータ６を繰り返し積層する上で、位置合わせが容易である。すなわち、片方のガス拡散層３ａのみ大きくすることにより、前記の通り高分子膜１の大きさを最小限にすることができることに加え、膜電極複合体４のエッジ部がガス拡散層３ａであるために、部材の端部を揃えやすく、位置合わせが容易となる。したがって、単位セルやスタックの組み立て性に優れるようになり、作業の省力化を図ることが可能となる。
【００２６】
なお、以上の説明では、燃料極２ａ側のガス拡散層３ａを酸化剤極２ｂ側のガス拡散層３ｂよりも大きくしたが、逆の仕様でも構わない。すなわち、酸化剤極２ｂ側のガス拡散層３ｂの外形寸法を高分子膜１の外形寸法及び燃料極２ａ側のガス拡散層３ａの外形寸法よりも大きくし、セパレータ６の外形と概略同じ形状とした場合にも、上述した例と同様の効果を得ることができる。
【００２７】
（第２の実施形態）
本実施形態の固体高分子型燃料電池の構造を図２に示す。固体高分子型燃料電池の構造は、基本的には上述した第１の実施形態のものと同様であるので、同一の部材には同一の符号を付して詳細な説明は省略し、ここでは本実施形態に特徴的な部分についてのみ説明する。
【００２８】
本実施形態では、燃料極２ａ側のガス拡散層３ａを酸化剤極２ｂ側のガス拡散層３ｂ及び高分子膜１よりも大きくし、さらに燃料極２ａ側のガス拡散層３ａの外周縁の一部をガスマニホールド（図２においては酸化剤ガスマニホールド９ｂ）の周縁の一部と積層方向において重なる形状とした。
【００２９】
また、両極のガス拡散層３ａ，３ｂは、高分子膜１と重なる端部をそれぞれ含浸部１０ａ，１０ｂとした。さらに、燃料極２ａ側のガス拡散層３ａの酸化剤極２ｂ側のガス拡散層３ｂ及び高分子膜１よりも大きい部分も含浸部１０ａとされ、この含浸部１０ａの酸化剤極２ｂ側のセパレータ６と向かい合う面には、絶縁層１２を設けている。ここで、含浸材としては熱可塑性樹脂やゴム材等が使用可能であり、また、絶縁層１２にはテトラフルオロエチレンからなるテープやゴム層、樹脂層等が使用可能である。含浸部１０ａの絶縁層１２の形成されていない面側は、燃料極２ａ側のセパレータ６の表面に接しており、対極である酸化剤極２ｂ側のセパレータ６とは、絶縁層１２、ガスケット７及び空気層１１を介して対向している。なお、本実施形態では、ガスケット７は、セパレータ６やガス拡散層３ａ，３ｂとは別体として構成されている。
【００３０】
本実施形態の固体高分子型燃料電池では、燃料極２ａ側のガス拡散層３ａの含浸部１０ａのうち、高分子膜１と接していない部分の対極側表面（酸化剤極２ｂ側のセパレータ６と向かい合う面）に絶縁層１２が設けられているので、空気層１１に導電性の粒子や液体が入り込んだ場合でも、それら粒子等を介して短絡を生じることが無くなる。また、高分子膜１は、セパレータ６の外形まで大きくすることなく発電に寄与する部分のみに存在するので、本実施形態においても、高分子膜１の大きさを最小限にすることができる。さらに、燃料極２ａ側のガス拡散層３ａの外周の一部をセパレータ６におけるガスマニホールド９ｂの周縁の一部と概略重なる形状としたので、ガス拡散層３ａを含む膜電極複合体４とセパレータ６を繰り返し積層する上で位置合わせが容易となる。したがって、本実施形態においても、単位セルやスタックの組み立て性に優れるようになり、作業の省力化を図ることが可能となる。
【００３１】
なお、以上の説明では、燃料極２ａ側のガス拡散層３ａを酸化剤極２ｂ側のガス拡散層３ｂよりも大きくしたが、逆の仕様でも構わない。すなわち、酸化剤極２ｂ側のガス拡散層３ｂの外形寸法を高分子膜１の外形寸法及び燃料極２ａ側のガス拡散層３ａの外形寸法よりも大きくし、酸化剤極２ｂ側のガス拡散層３ｂの外周の一部をセパレータ６におけるガスマニホールド９ｂの周縁の一部と概略重なる形状とした場合にも、上述した例と同様の効果を得ることができる。
【００３２】
また、ガスマニホールドの他に、固体高分子型燃料電池を冷却するために冷却液を単位セルの積層方向に流通させるための冷却液用貫通孔が設けられている場合には、ガス拡散層３ａ，３ｂの一方の外形寸法を他方よりも大きくし、大きい方のガス拡散層の外周の一部を、セパレータ６における冷却液用貫通孔の周縁の一部と概略重なる形状とした場合にも、上述した例と同様の効果を得ることができる。
【００３３】
（第３の実施形態）
本実施形態の固体高分子型燃料電池の構造を図３に示す。本実施形態の固体高分子型燃料電池の構造は、第２の実施形態における固体高分子型燃料電池とほとんど同じであるが、本実施形態では、第２の実施形態で説明した絶縁層１２を、燃料極２ａ側のガス拡散層３ａにおける含浸部１０ａの表面ではなく、酸化剤極２ｂ側のセパレータ６の表面に設けている。ここで、絶縁層１２としては、第２の実施形態と同様、テトラフルオロエチレンからなるテープ（いわゆるテフロンテープ）やゴム層、樹脂層等が使用可能である。なお、その他の構成については上述した第２の実施形態と同様であるので、ここでは詳細な説明は省略する。
【００３４】
本実施形態の固体高分子型燃料電池では、以上のような絶縁層１２の設置によって、第２の実施形態の場合と同様の作用、効果を得ることができる。すなわち、本実施形態の固体高分子型燃料電池では、燃料極２ａ側のガス拡散層３ａの高分子膜１と接していない部分の含浸部１０ａと向かい合うセパレータ６の表面に、酸化剤極側のガス拡散層３ｂと隣接するようにして絶縁層１２が設けられているので、空気層１１に導電性の粒子や液体が入り込んだ場合でも、それら粒子等を介して短絡を生じることが無くなる。また、高分子膜１は、セパレータ６の外形まで大きくすることなく発電に寄与する部分のみに存在するので、本実施形態においても、高分子膜１の大きさを最小限にすることができる。さらに、燃料極２ａ側のガス拡散層３ａの外周の一部をセパレータ６におけるガスマニホールド９ｂの周縁の一部と概略重なる形状としたので、ガス拡散層３ａを含む膜電極複合体４とセパレータ６を繰り返し積層する上で位置合わせが容易となる。したがって、本実施形態においても、単位セルやスタックの組み立て性に優れるようになり、作業の省力化を図ることが可能となる。
【００３５】
（第４の実施形態）
本実施形態の固体高分子型燃料電池は、各単位セルのガスケット７が積層前にセパレータ６に一体化されている点に特徴を有するものである。その他の構成については、上述した第１の実施形態のものと同様の構造であるので、ここでは詳細な説明は省略する。
【００３６】
本実施形態の固体高分子型燃料電池において、各単位セルのガスケット７は、図４に示すように、各単位セルを積層する前の段階でセパレータ６に一体化されている。一体化の方法は、例えば別体のガスケット７を接着剤や両面テープ等により予めセパレータ６と一体化してもよいし、あるいはセパレータ６上に予めゴム状ガスケットを焼き付けて一体成形したものでもよい。
【００３７】
本実施形態の固体高分子型燃料電池によれば、ガスケット７を予めセパレータ６に一体化したことにより、上述した第１の実施形態における作用効果に加えて、次のような作用効果が得られる。すなわち、ガスケット７を予めセパレータ６に一体化することによって、積層作業性がさらに向上することになり、積層組み立て時における誤作業を低減させることができる。したがって、歩留まりがより一層改善されると共に、更なる作業の省力化を図ることが可能となる。
【００３８】
（第５の実施形態）
本実施形態の固体高分子型燃料電池は、ガス拡散層３ａ，３ｂに含浸部１０ａ，１０ｂを形成する際に、この含浸部１０ａ，１０ｂと一体にガスケット７を形成すると共に、ガス拡散層３ａの高分子膜１と接していない部分の含浸部１０ａと一体に絶縁層１２を形成するようにした点に特徴を有するものである。その他の構成については、上述した第１の実施形態のものと同様である。すなわち、本実施形態の固体高分子型燃料電池においても、燃料極２ａ側のガス拡散層３ａの外形を酸化剤極２ｂ側のガス拡散層３ｂよりも大きくし、セパレータ６の外形と概略同じ形状としている。また、ガス拡散層３ａには、図５に示すように、ガスマニホールドに相当する貫通孔が設けられており、高分子膜１と重なる端部付近からマニホールド部を通って周囲部までの部分は、含浸材を含む含浸部１０ａ（図中斜線部）となっている。
【００３９】
以上のような構成の固体高分子型燃料電池において、本実施形態では、ガス拡散層３ａに含浸部１０ａを形成する際に、ガスケット７も合わせて一体成形するようにしている。ここで、含浸材としては、ゴム材が好ましい。また、図示は省略するが、酸化剤極２ｂ側のガス拡散層３ｂに関しては、高分子膜１と重なる端部付近のみ含浸部１０ｂとなっているが、この含浸部１０ｂを形成する際にもガスケット７を合わせて一体成形する。
【００４０】
含浸部１０ａの片面は燃料極２ａ側のセパレータ６の表面に接しており、対極である酸化剤極２ｂ側のセパレータ６と向かい合った面には、ガスケット成分及び含浸成分と同じ材料で形成された絶縁層１２が一体的に設けてある。したがって、ガス拡散層３ａは、対極である酸化剤極２ｂ側のセパレータ６とは、一体成形されたガスケット７、絶縁層１２、及び空気層１１を介して対向することになる。
【００４１】
本実施形態の固体高分子型燃料電池では、ガスケット７並びに絶縁層１２を予めガス拡散層３ａ，３ｂに含浸一体成形したことにより、第１の実施形態における作用効果に加えて、次のような作用効果が得られる。すなわち、ガス拡散層３ａ，３ｂへの含浸材の含浸に合わせて、ガスケット７や絶縁層１２の形成が行われるので、工程数を削減することができ、作業性がさらに向上することになる。また、絶縁層１２を設けたことにより空気層１１に導電性の粒子や液体が入り込んだ場合でもそれら粒子等を介して短絡を生じることが無くなる。したがって、安全性や信頼性の向上を実現でき、また、歩留まりがより一層改善されると共に、更なる作業の省力化を図ることが可能となる。
【図面の簡単な説明】
【００４２】
【図１】第１の実施形態の固体高分子型燃料電池の構造を示す概略断面図である。
【図２】第２の実施形態の固体高分子型燃料電池の構造を示す概略断面図である。
【図３】第３の実施形態の固体高分子型燃料電池の構造を示す概略断面図である。
【図４】第４の実施形態の固体高分子型燃料電池におけるセパレータ及びガスケットの構成を示す概略断面図である。
【図５】第５の実施形態の固体高分子型燃料電池におけるガス拡散層、ガスケット及び絶縁層の構成を示す概略断面図である。
【符号の説明】
【００４３】
１  高分子膜
２ａ  燃料極
２ｂ  酸化剤極
３ａ，３ｂ  ガス拡散層
４  膜電極複合体
５ａ  燃料ガス流路
５ｂ  酸化剤ガス流路
６  セパレータ
７  ガスケット
８  固体高分子型燃料電池
９ｂ  酸化剤ガスマニホールド
１０ａ，１０ｂ  含浸部
１１  空気層
１２  絶縁層
【図１】
2005158325.tif 000003
【図２】
2005158325.tif 000004
【図３】
2005158325.tif 000005
【図４】
2005158325.tif 000006
【図５】
2005158325.tif 000007